(57)【要約】      （修正有）【課題】無端ベルトのローラに対する横ずれを防止できる、おしぼり製造装置を提供する。【解決手段】おしぼり製造装置は、帯状のシート材３からおしぼり５を製造する装置である。おしぼり製造装置は、シート材３をおしぼり５に成形する成形手段７を備える。成形手段７は、シート材３を搬送する第１ベルト９と、第１ベルト９の搬送面に対向して配される第２ベルト１１と、を有する。第１回転ローラの１３うちの少なくとも１つには、第１ベルト９の幅方向の端部よりも外側の位置に鍔部が形成されている。第１ベルト９が横ずれしそうになると、第１ベルト９の幅方向の端部が、第１回転ローラ１３のうちの少なくとも１つの鍔部に当るよう形成されている。【選択図】図４
2016106700.tif 000002
【特許請求の範囲】
【請求項１】
帯状のシート材からおしぼりを製造するおしぼり製造装置であって、
前記シート材をおしぼりに成形する成形手段を備え、
前記成形手段は、前記シート材を搬送する第１ベルトと、
前記第１ベルトの搬送面に対向して配される第２ベルトと、を有し、
前記第１ベルトは、閉じたループ状をなし、複数の第１回転ローラに架け渡されるように配されており、
前記第２ベルトは、閉じたループ状をなし、複数の第２回転ローラに架け渡されるように配されており、
前記第１回転ローラのうちの少なくとも１つには、前記第１ベルトの幅方向の端部よりも外側の位置に鍔部が形成されていることを特徴とする、おしぼり製造装置。
【請求項２】
前記第１ベルトの内側には、係合部が形成されており、
前記係合部は、前記第１回転ローラに形成された被係合部と係合されている請求項１に記載のおしぼり製造装置。
【請求項３】
前記係合部と、前記被係合部は、複数対とされている請求項１又は２に記載のおしぼり製造装置。
【発明の詳細な説明】
【技術分野】
【０００１】
本発明は、おしぼり製造装置に関し、更に詳しくは、巻回されたロール状のおしぼりを製造するおしぼり製造装置に関する。
【背景技術】
【０００２】
従来、この種のおしぼり製造装置として、シートロールから帯状のシート材を引き出して所定長さに切断し、散水して湿り気を付与し、更に、ロール状に巻き込んで巻きおしぼりを成形するものが知られている（例えば特許文献１参照）。
【先行技術文献】
【特許文献】
【０００３】
【特許文献１】特開２００９−９００４３号公報
【発明の概要】
【発明が解決しようとする課題】
【０００４】
このおしぼり製造装置では、巻回手段を用いて、含水切断シートを巻回してロール状のおしぼりを製造している。
巻回手段は、２つの無端ベルトを備えている。そして、含水切断シートを２つの無端ベルトの間に通過させて巻回するようにされている。なお、無端ベルトは、一対のローラに架け渡されるように配されている。
しかしながら、無端ベルトを動作させて、ロール状のおしぼりを製造する際に、無端ベルトがローラに対して横ずれしてしまうおそれがあった。
本発明は、上記現状に鑑みてなされたものであり、無端ベルトのローラに対する横ずれを防止できる、おしぼり製造装置を提供することを目的とする。
【課題を解決するための手段】
【０００５】
上記問題を解決するために、請求項１に記載の発明は、
帯状のシート材からおしぼりを製造するおしぼり製造装置であって、
前記シート材をおしぼりに成形する成形手段を備え、
前記成形手段は、前記シート材を搬送する第１ベルトと、
前記第１ベルトの搬送面に対向して配される第２ベルトと、を有し、
前記第１ベルトは、閉じたループ状をなし、複数の第１回転ローラに架け渡されるように配されており、
前記第２ベルトは、閉じたループ状をなし、複数の第２回転ローラに架け渡されるように配されており、
前記第１回転ローラのうちの少なくとも１つには、前記第１ベルトの幅方向の端部よりも外側の位置に鍔部が形成されていることを特徴とする。
【０００６】
請求項２に記載の発明は、
前記第１ベルトの内側には、係合部が形成されており、
前記係合部は、前記第１回転ローラに形成された被係合部と係合されている請求項１に記載のおしぼり製造装置である。
【０００７】
請求項３に記載の発明は、
前記係合部と、前記被係合部は、複数対とされている請求項１又は２に記載のおしぼり製造装置である。
【発明の効果】
【０００８】
本発明のおしぼり製造装置は、帯状のシート材からおしぼりを製造するおしぼり製造装置である。おしぼり製造装置は、シート材をおしぼりに成形する成形手段を備える。成形手段は、シート材を搬送する第１ベルトと、第１ベルトの搬送面に対向して配される第２ベルトと、を有する。
第１ベルトは、閉じたループ状をなし、複数の第１回転ローラに架け渡されるように配されている。第２ベルトは、閉じたループ状をなし、複数の第２回転ローラに架け渡されるように配されている。
そして、第１回転ローラのうちの少なくとも１つには、第１ベルトの幅方向の端部よりも外側の位置に鍔部が形成されている。
このような構成により、本発明のおしぼり製造装置では、第１ベルトが横ずれしそうになると、第１ベルトの幅方向の端部が、第１回転ローラのうちの少なくとも１つに形成された鍔部に当たる。よって、第１ベルトの横ずれが抑制される。
【０００９】
第１ベルトの内側には、係合部が形成されており、係合部は、第１回転ローラに形成された被係合部と係合されている場合には、以下の効果を奏する。すなわち、第１ベルトの係合部と、第１回転ローラの被係合部とが係合することによって、第１ベルトの横ずれが効果的に抑制される。
係合部と被係合部が、複数対とされている場合には、第１ベルトの横ずれがさらに効果的に抑制される。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係るおしぼり製造装置の正面図である。
【図２】実施例１に係るおしぼり製造装置の側面図である。
【図３】実施例１に係るおしぼり製造装置の内部構造を説明するための説明図である。
【図４】実施例１に係るおしぼり製造装置の内部構造の要部を説明するための説明図である。
【図５】実施例１に係るおしぼり製造装置の成形手段を示す説明図である。
【図６】実施例１に係るおしぼり製造装置の第１回転ローラを示す説明図である。
【図７】実施例１に係るおしぼり製造装置の第１回転ローラを示す説明図である。
【図８】実施例１に係るおしぼり製造装置の第１ベルトを示す説明図である。
【図９】実施例１に係るおしぼり製造装置の第１ベルトを示す説明図である。
【図１０】実施例１に係るおしぼり製造装置の第１ベルトと第１回転ローラとが組み付けられた状態を示す説明図である。
【図１１】実施例２に係るおしぼり製造装置の第１回転ローラを示す説明図である。
【図１２】実施例２に係るおしぼり製造装置の第１ベルトを示す説明図である。
【図１３】実施例２に係るおしぼり製造装置の第１ベルトと第１回転ローラとが組み付けられた状態を示す説明図である。
【図１４】実施例３に係るおしぼり製造装置の第１回転ローラを示す説明図である。
【図１５】実施例３に係るおしぼり製造装置の第１ベルトを示す説明図である。
【図１６】実施例３に係るおしぼり製造装置の第１ベルトと第１回転ローラとが組み付けられた状態を示す説明図である。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
（１）本実施形態のおしぼり製造装置の構成
本実施形態に係るおしぼり製造装置（１）は、帯状のシート材（３）からおしぼり（５）を製造する装置である。おしぼり製造装置（１）は、シート材（３）をおしぼり（５）に成形する成形手段（７）を備える。
成形手段（７）は、シート材（３）を搬送する第１ベルト（９）と、第１ベルト（９）の搬送面（９Ａ）に対向して配される第２ベルト（１１）と、を有する。
第１ベルト（９）は、閉じたループ状をなし、複数の第１回転ローラ（１３）に架け渡されるように配されている。第２ベルト（１１）は、閉じたループ状をなし、複数の第２回転ローラ（１５）に架け渡されるように配されている。
第１回転ローラの（１３）うちの少なくとも１つには、第１ベルト（９）の幅方向の端部よりも外側の位置に鍔部（１３Ａ）が形成されている。
なお、本実施形態において記述される水は、純粋な水の他、除菌水、殺菌水等も意味し、その成分として水を含んでいるものを広く意味する。
【００１３】
シート材（３）は、帯状である限り特に限定されず、目的に応じて適宜選択できる。シート材（３）としては、例えば、ロール状に巻回された状態でおしぼり製造装置（１）にセットされるものを用いることができる。また、ジグザグに折り曲げられた状態でおしぼり製造装置（１）にセットされるものも用いることができる。
シート材（３）の材質としては、例えば、不織布、織布、紙等を採用することができる。
【００１４】
第１ベルト（９）、及び第２ベルト（１１）の構成は、特に限定されず、公知の構成を幅広く用いることができる。例えば、ゴム、熱可塑性エラストマー等を用いたものが挙げられる。具体的には、シリコーンゴム、ジエン系ゴム、例えばスチレン・ブタジエンゴム、ポリイソプレンゴム、エチレン・プロピレン・ジエンゴム（ＥＰＤＭ）、ポリブタジエンゴム、アクリルゴム、クロロプレン（ＣＲ）等が挙げられる。また、基材としてのポリイミド等の樹脂を用いたもの、基材としてのニッケルやＳＵＳ等の金属を用いたものも用いられている。
【００１５】
第１ベルト（９）及び第２ベルト（１１）の形態は、特に限定されないが、通常は、断面が扁平な形態をなしている。
第１ベルト（９）及び第２ベルト（１１）の幅、厚みは、特に限定されない。
【００１６】
第１回転ローラ（１３）の個数は、複数であれば特に限定されないが、通常２つである。第１回転ローラ（１３）の形状は、限定されないが、通常、円柱等の柱状である。
また、複数の第１回転ローラ（１３）のうちの少なくとも１つは、通常、モータ等の駆動部により自ら回転する駆動ローラである。
【００１７】
第２回転ローラ（１５）の個数は、複数であれば特に限定されないが、通常２つである。第２回転ローラ（１５）の形状は、限定されないが、通常、円柱等の柱状である。
また、複数の第２回転ローラ（１５）のうちの少なくとも１つは、通常、モータ等の駆動部により自ら回転する駆動ローラである。
【００１８】
鍔部（１３Ａ）の大きさは特に限定されないが、第１ベルト（９）の厚みよりも、大きい方が好ましい。
第１回転ローラ（１３）の鍔部（１３Ａ）と、第１ベルト（９）の端部（９Ｂ）とは、当接しているか、又は両者の間隔が５ｍｍ以内であることが好ましい。第１ベルト（９）の横ずれを効果的に抑制するためである。
第１ベルト（９）の幅方向の端部（９Ｂ）は、２つあるが、両方の端部（９Ｂ）に対応するように、第１回転ローラ（１３）には、２つの鍔部（１３Ａ）が形成されていることが好ましい。第１ベルト（９）の左右への横ずれを効果的に抑制するためである。
【００１９】
第１ベルト（９）の内側には、係合部（９Ｃ）が形成されていることが好ましい。係合部（９Ｃ）は、突出した形状のもの、又は凹んだ形状のものであることができる。
また、この場合には、第１回転ローラ（１３）には、第１ベルト（９）の係合部（９Ｃ）に対応する位置に被係合部（１３Ｂ）が形成される。そして、係合部（９Ｃ）と、被係合部（１３Ｂ）とが係合される。係合部（９Ｃ）と、被係合部（１３Ｂ）とが係合されることで、第１ベルト（９）の左右への横ずれが効果的に抑制される。
また、係合部（９Ｃ）と、被係合部（１３Ｂ）とは、複数対とされていることが好ましい。
【００２０】
おしぼり製造装置（１）には、シート材（３）を所定長に切断するための切断手段（１７）が備えられていてもよい。
切断手段（１７）は、帯状のシート材（３）を所定長さに切断する手段であれば、特に限定されない。例えば、切断刃を備えたカッターや、切断刃によりシート材を挟み込んで切り込むもの等、目的に応じて適宜選択できる。また、切断手段（１７）の刃を構成する材質は特に制限はない。例えば、金属、プラスチックが挙げられる。
また、シート材（３）に予め、ミシン目等の切断予定線が入れられていてもよい。このように、切断予定線を入れておくと、所望の位置で切断しやすくなる。
なお、シート材（３）は、成形手段（７）によって、おしぼり（５）に成形される前に所定長に切断されていてもよいし、成形後に所定長に切断されてもよい。
【００２１】
おしぼり製造装置（１）には、シート材（３）を含水状態にするための散水手段（１９）が備えられていてもよい。
シート材（３）は、成形手段（７）で成形される前に、予め含水状態にされることが好ましい。
散水手段（１９）は、シート材（３）に散水して含水シート材（３）とする手段である。散水手段（１９）は、水を散水する散水部（１９Ａ）を通常、備えている。
散水部（１９Ａ）は、シート材（３）に水を散水するものであれば、特に限定されず、目的に応じて適宜選択できる。複数の散水孔を備えた散水部（１９Ａ）であってもよいし、一の散水孔を備えた散水部（１９Ａ）でもよい。散水部（１９Ａ）は、シート材（３）の全面に散水することが好ましいことから、シート材（３）の幅と略同一の散水範囲を有することが好ましい。
なお、水を散水する圧力を得るためには、ポンプを用いることができる。
【００２２】
また、シート材（３）を含水状態にするための水は、水道等から直接供給されてもよいし、タンクに貯水してもよい。
貯水する場合に用いられるタンクの形状は、特に限定されず、目的に応じて任意の形状を適宜選択できる。タンクの材質は特に制限はない。例えば、金属、プラスチックが挙げられる。タンクは、加熱される場合には金属製が好ましい。
【００２３】
（２）本実施形態のおしぼり製造装置の効果
本実施形態に係るおしぼり製造装置（１）では、おしぼり製造装置（１）は、シート材（３）をおしぼり（５）に成形する成形手段（７）を備える。成形手段（７）は、第１ベルト（９）と、第２ベルト（１１）と、を有する。第１ベルト（９）は、複数の第１回転ローラ（１３）に架け渡されるように配されている。第１回転ローラの（１３）うちの少なくとも１つには、第１ベルト（９）の幅方向の端部よりも外側の位置に鍔部（１３Ａ）が形成されている。
本実施形態に係るおしぼり製造装置（１）では、第１ベルト（９）が横ずれしそうになると、第１ベルト（９）の幅方向の端部が、第１回転ローラ（１３）に形成された鍔部（１３Ａ）に当たる。よって、第１ベルト（９）が鍔部（１３Ａ）よりも外側にはズレない。このように第１ベルト（９）の横ずれが抑制される。
さらに、第１ベルト（９）の幅方向の両方の端部（９Ｂ）に対応するように、第１回転ローラ（１３）には、２つの鍔部（１３Ａ）が形成されていると、第１ベルト（９）の左右への横ずれを効果的に抑制できる。
【００２４】
さらに、第１ベルト（９）の内側には、係合部（９Ｃ）が形成されており、第１回転ローラ（１３）には、係合部（９Ｃ）に対応する位置に被係合部（１３Ｂ）が形成されている場合には以下の効果を奏する。すなわち、係合部（９Ｃ）と、被係合部（１３Ｂ）とが係合されることで、第１ベルト（９）の左右への横ずれが効果的に抑制される。また、係合部（９Ｃ）、及び被係合部（１３Ｂ）が、複数対とされている場合は、第１ベルトの左右への横ずれをより効果的に抑制できる。
【実施例】
【００２５】
以下、図面を参照して実施例により本発明をより具体的に説明する。
＜実施例１＞
（１）おしぼり製造装置の構成
本実施例に係るおしぼり製造装置１は、帯状のシート材３からロール状のおしぼり５を製造する装置である。おしぼり製造装置１は、成形手段７を備えている。また、本実施例に係るおしぼり製造装置１には、切断手段１７と、散水手段１９と、を備えている。これら成形手段７、切断手段１７及び散水手段１９は、ケース２１内に収納されている。ケース２１は、図１〜図３に示すように、外形が略直方体形状をなす箱状体である。
【００２６】
本実施例では、シート材３として、不織布を用いている。不織布の厚みは、目的に応じて適宜選択できる。このシート材３には、凹凸の表面加工がされている。また、シート材３は、長尺であり、幅方向の略中央の長手方向に延びる線で２つに折られて２重とされている。この２重とされた状態で、シート材３はロール状に巻かれている。
ロール状のシート材３は、ケース２１内部の前方側の上部に収納されている。ロール状のシート材３の軸部は、ケース２１内部の軸受け部（図示せず）に支えられて、シート材３が回転可能とされている。
【００２７】
ケース２１内部の略中央の上部には、図３〜図４に示されるように、シート材３を送るための送りローラ２３が配されている。送りローラ２３は図示しない駆動モータによって駆動される。
また、送りローラ２３によって、ロール状のシート材３は引き出されて、切断手段１７まで送られるようにされている。
【００２８】
切断手段１７は、帯状のシート材３を所定長さに切断して切断されたシート材３とするものである。この切断手段１７には、図４に示されるように、回転刃１７Ａと固定刃１７Ｂとが備えられている。回転刃１７Ａと固定刃１７Ｂとの間を帯状のシート材３が通過するようにされている。この切断手段１７では、図示しない駆動モータにより回転刃１７Ａが回転すると、帯状のシート材３が切断されるようになっている。また、回転刃１７Ａの回転のタイミングを変えることで、切断されたシート材３の長さ調整できるようにされている。
【００２９】
散水手段１９は、シート材３に散水して含水したシート材３とする手段である。散水手段１９は、散水部１９Ａを備えている。
ケース内部には、給水タンクが、収納されている。この給水タンク内の水は、散水手段１９に配管を通じて供給されるようにされている。給水タンクと散水手段１９との間には、水を加熱するための加熱手段を設けてもよい。この加熱手段により、温水がシート材３に供給されて温かいおしぼりを作製することができる。この場合における加熱手段は、特に限定されず、加熱タンク等の公知の加熱手段を幅広く用いることができる。
なお、本実施例では、配管の途中に、送液用のポンプが取り付けられている。
【００３０】
散水手段１９の散水部１９Ａは、２重に折られたシート材３の幅よりもやや広い幅を有し、幅方向に複数の散水孔が並んでいる。複数の散水孔から水が放出することにより、幅方向に略均一に水分を付与することができるようになっている。
【００３１】
図３〜図５に示すように、成形手段７は、シート材３を搬送する第１ベルト９と、第１ベルト９の搬送面９Ａに対向して配される第２ベルト１１と、を有する。
第１ベルト９は無端ベルトとされている。第２ベルト１１も無端ベルトとされている。
【００３２】
第１ベルト９は、一対の第１回転ローラ１３に架け渡されるように配されている。第１回転ローラ１３は、円柱状の軸とされている。第１回転ローラ１３の一方が駆動ローラとされている。
【００３３】
第２ベルト１１は、閉じたループ状をなし、一対の第２回転ローラ１５に架け渡されるように配されている。第２回転ローラ１５は、円柱状の軸とされている。第２回転ローラ１５の一方は駆動ローラとされている。
駆動ローラとされた第１回転ローラ１３の一方と、駆動ローラとされた第２回転ローラ１５の一方とは、図示しない連結ベルトによって結ばれて、連動して動作するようにされている。
【００３４】
図５〜図７に示すように、第１回転ローラ１３には、第１ベルト９の幅方向の端部９Ｂよりも外側の位置に鍔部１３Ａが形成されている。鍔部１３Ａは、第１回転ローラ１３の両端部付近に２つ形成されている。鍔部１３Ａの大きさは、１〜７ｍｍで、第１ベルト９の端部の厚みよりもやや大きくされている。なお、
第１回転ローラ１３の２つの鍔部１３Ａと、第１ベルト９の左右の端部９Ｂとは、略当接した状態とされている。
【００３５】
図８及び図９に示すように、第１ベルト９の内側の略中央部には、係合部９Ｃが形成されている。係合部９Ｃは、突出した形状をしており、長手方向に周回するように形成されている。係合部９Ｃの断面形状は矩形をなしている。第１ベルト９の外側の縁部には、立ち壁部９Ｄが形成されている。立ち壁部９Ｄの高さは、鍔部１３Ａと同一又はやや小さくされている。
【００３６】
図６及び図７に示すように、第１回転ローラ１３には、第１ベルト９の係合部９Ｃに対応する位置に被係合部１３Ｂが形成される。本実施例では、被係合部１３Ｂは、第１回転ローラ１３の略中央部を周回する形態の溝とされている。溝の断面形状は矩形をなしている。図１０に示すように、係合部９Ｃと、被係合部１３Ｂとは、互いに嵌まり合うようにされている。
【００３７】
なお、本実施例に係るおしぼり製造装置１には、各駆動モータ等のアクチュエータの駆動制御等を司る制御部を備えている。この制御部は、ＣＰＵ（Central Processing Unit）と、メモリ（例えば、ＲＯＭ（Read Only Memory）、ＲＡＭ（Random Access Memory）等と、を備えている。また、制御部は、各スイッチからの操作信号が入力される入力回路と、駆動モータ等のアクチュエータを駆動するための駆動回路と、を備えている。
【００３８】
（２）おしぼり製造装置の作用
次に上記構成のおしぼり製造装置１の作用について説明する。
おしぼり製造装置１を用いておしぼり５を製造する際には、最初に、ロール状のシート材３をおしぼり製造装置１にセットする。
【００３９】
スイッチを押すと、シート材３は送りローラ２３によって送られて、切断手段１７まで運ばれる。そして、シート材３が予め定められた所定長さとなったら、回転刃１７Ａが回転してシート材３を切断する。
次に、切断されたシート材３は、第１ベルト９の上に載せられる。そして、ポンプを作動し、切断されたシート材３の上方の散水部１９Ａから、水が散水されて、含水したシート材３が作製される。
このシート材３を、モータによって駆動した第１ベルト９と第２ベルト１１との間を通して、巻回することによっておしぼり５が作製される。
【００４０】
なお、暖かいおしぼり５を作製する場合には、加熱ヒータによって、加熱された温水を散水部１９Ａから散水する。
【００４１】
（３）実施例１の効果
本実施例に係るおしぼり製造装置１では、以下の作用効果を奏する。
第１回転ローラ１３には、両側に鍔部１３Ａが形成されている。第１回転ローラ１３の２つの鍔部１３Ａと、第１ベルト９の左右の端部９Ｂとは、略当接した状態とされている。この状態で、第１回転ローラ１３が回転して、第１ベルト９を送っても、第１ベルト９は蛇行しにくい。
しかも、第１ベルト９の係合部９Ｃと、第１回転ローラ１３の被係合部１３Ｂとが嵌まり合った状態で動作するから、第１ベルト９が更に蛇行しにくい。
また、第１ベルト９の外側の縁部には、立ち壁部９Ｄが形成されている。第１ベルト９の立ち壁部９Ｄが、第１回転ローラ１３の鍔部１３Ａにガイドされるから、第１ベルト９が軌道を逸脱しにくくなる。
このように、本実施例では、成形手段７によっておしぼり５を巻回する際に、動作不良が起こりにくくなり、メンテナンス作業回数を減らすことができる。
【００４２】
＜実施例２＞
次に、実施例２に係るおしぼり製造装置１を、図１１〜１３を参照しつつ説明する。なお、実施例２のおしぼり製造装置１において、上記実施例１のおしぼり製造装置１と略同じ構成部位には同符号を付けて、構造、作用及び効果の説明は省略する。実施例２のおしぼり製造装置１では、次の点が、実施例１のおしぼり製造装置１と相違している。すなわち、実施例２のおしぼり製造装置１では、第１ベルト９の係合部９Ｃと、第１回転ローラ１３の被係合部１３Ｂとの形態が、実施例１のおしぼり製造装置１と相違している。
第１ベルト９の両側に、係合部９Ｃが形成されている。第１回転ローラ１３には、第１ベルト９の係合部９Ｃに対応する位置に２つの被係合部１３Ｂが形成される。
本実施例では、２つの第１ベルト９の係合部９Ｃと、２つの第１回転ローラ１３の被係合部１３Ｂとが嵌まり合った状態で動作するから、第１ベルト９が更に蛇行しにくい。
【００４３】
＜実施例３＞
次に、実施例３に係るおしぼり製造装置１を、図１４〜１６を参照しつつ説明する。なお、実施例３のおしぼり製造装置１において、上記実施例１のおしぼり製造装置１と略同じ構成部位には同符号を付けて、構造、作用及び効果の説明は省略する。実施例２のおしぼり製造装置１では、次の点が、実施例１のおしぼり製造装置１と相違している。すなわち、実施例２のおしぼり製造装置１では、第１ベルト９の係合部９Ｃと、第１回転ローラ１３の被係合部１３Ｂとの形態が、実施例１のおしぼり製造装置１と相違している。
第１ベルト９の両側及び略中央に、係合部９Ｃが形成されている。第１回転ローラ１３には、第１ベルト９の係合部９Ｃに対応する位置に３つの被係合部１３Ｂが形成される。
本実施例では、３つの第１ベルト９の係合部９Ｃと、３つの第１回転ローラ１３の被係合部１３Ｂとが嵌まり合った状態で動作するから、第１ベルト９が更に蛇行しにくい。
【００４４】
尚、本発明においては、上記実施例に限られず、目的、用途に応じて本発明の範囲内で種々変更した実施例とすることができる。
上記実施例では、第１ベルト９の係合部９Ｃと、第１回転ローラ１３の被係合部１３Ｂと、が形成されている例を挙げて説明したが、係合部９Ｃや被係合部１３Ｂはなくてもよい。
上記実施例では、第１ベルト９の係合部９Ｃと、第１回転ローラ１３の被係合部１３Ｂと、がそれぞれ、１〜３形成されている例を挙げて説明したが、係合部９Ｃや被係合部１３Ｂの数は特に限定されず、４以上であってもよい。
上記実施例では、立ち壁部９Ｄが形成されている例を挙げて説明したが、立ち壁部９Ｄは形成されていなくてもよい。
上記実施例では、係合部９Ｃの断面形状は矩形をなしている例を挙げて説明したが、係合部９Ｃの断面形状は特に限定されない。例えば、係合部９Ｃの断面形状は丸みを帯びた突出形状であってもよい。
上記実施例では、被係合部１３Ｂの断面形状は矩形をなしている例を挙げて説明したが、被係合部１３Ｂの断面形状は特に限定されない。例えば、被係合部１３Ｂの断面形状は丸みを帯びた溝形状であってもよい。
上記実施例では、係合部９Ｃは突出しており、被係合部１３Ｂは溝である例を挙げて説明したが、係合部９Ｃが溝であり、被係合部１３Ｂが突出していてもよい。
【００４５】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４６】
本発明は上記で詳述した実施形態に限定されず、本発明の請求項に示した範囲で様々な変形または変更が可能である。
【産業上の利用可能性】
【００４７】
医療の現場、介護の現場、外食産業、エステ・ネイルサロン等で使用されるおしぼりの製造に関する技術として広く利用される。
【符号の説明】
【００４８】
１；おしぼり製造装置
３；シート材
５；おしぼり
７；成形手段
９；第１ベルト
９Ａ；搬送面
９Ｂ；端部
９Ｃ；係合部
９Ｄ；立ち壁部
１１；第２ベルト
１３；第１回転ローラ
１３Ａ；鍔部
１３Ｂ；被係合部
１５；第２回転ローラ    
１７；切断手段
１７Ａ；回転刃
１７Ｂ；固定刃
１９；散水手段
１９Ａ；散水部
２１；ケース
２３；送りローラ
【図１】
2016106700.tif 000003
【図２】
2016106700.tif 000004
【図３】
2016106700.tif 000005
【図４】
2016106700.tif 000006
【図５】
2016106700.tif 000007
【図６】
2016106700.tif 000008
【図７】
2016106700.tif 000009
【図８】
2016106700.tif 000010
【図９】
2016106700.tif 000011
【図１０】
2016106700.tif 000012
【図１１】
2016106700.tif 000013
【図１２】
2016106700.tif 000014
【図１３】
2016106700.tif 000015
【図１４】
2016106700.tif 000016
【図１５】
2016106700.tif 000017
【図１６】
2016106700.tif 000018